(57)【要約】【課題】肉厚等が大きい場合でも、両端近傍の熱容量を減少して、全体の熱容量を均一化して高品質の被記録媒体や被記録媒体に高品質の記録画像を形成する加熱ローラ、及びその加熱ローラの製造方法、その加熱ローラを備える被記録媒体加熱装置、並びに画像形成装置を提供する。【解決手段】被記録媒体に直接または間接的に当接して加熱する中空円筒形状の芯金の胴部１と、前記胴部１の外径より細いジャーナル部２と、前記ジャーナル部２を形成する絞り加工で前記胴部１の端部に形成される厚肉部３と、前記厚肉部３の外側に形成される外側端面４と、前記外側端面４を回動軸７の内側方向に向かって所定の深さと半径方向の幅を削除して形成する溝５を備える。【選択図】図１
2007286282.tif 000002
【特許請求の範囲】
【請求項１】
被記録媒体を加熱する加熱ローラにおいて、被記録媒体に直接または間接的に当接して加熱する中空円筒形状の芯金の胴部と、前記胴部の外径より細いジャーナル部と、前記ジャーナル部を形成する絞り加工で前記胴部の端部に形成される厚肉部と、前記厚肉部の外側に形成される外側端面と、前記外側端面を回動軸の内側方向に向かって所定の深さと半径方向の幅を削除して形成する溝と、を備えることを特徴とする加熱ローラ。
【請求項２】
請求項１に記載の加熱ローラにおいて、前記胴部は、アルミニュウム合金または鉄系材料で６ｍｍ以上の肉厚を備えていることを特徴とする加熱ローラ。
【請求項３】
請求項１または２に記載の加熱ローラにおいて、前記胴部は、外周面上に離型層を備えていることを特徴とする加熱ローラ。
【請求項４】
請求項３に記載の加熱ローラにおいて、前記離型層は、フッ素樹脂を備えることを特徴とする加熱ローラ。
【請求項５】
請求項１乃至４のいずれか一項に記載の加熱ローラにおいて、前記胴部は、表面温度を回動軸の方向で所定温度に均一化する１個または複数個のヒータを内部に配置して備えることを特徴とする加熱ローラ。
【請求項６】
請求項１乃至５のいずれか一項に記載の加熱ローラにおいて、前記胴部は、外周面に接触または非接触して、表面温度を制御するための温度センサーを備えることを特徴とする加熱ローラ。
【請求項７】
請求項１乃至６のいずれか一項に記載の加熱ローラにおいて、前記ジャーナル部およびジャーナル根元部の肉厚は、前記胴部の肉厚と同等であることを特徴とする加熱ローラ。
【請求項８】
請求項１乃至７のいずれか一項に記載の加熱ローラにおいて、前記ジャーナル部は、回転駆動部材との空転止めを行う空転止形状部を備えることを特徴とする加熱ローラ。
【請求項９】
請求項１乃至８のいずれか一項に記載の加熱ローラにおいて、前記厚肉部は、前記胴部と同等の肉厚を備えることを特徴とする加熱ローラ。
【請求項１０】
請求項１乃至９のいずれか一項に記載の加熱ローラにおいて、前記溝は、前記厚肉部の内側端面に倣って形成することを特徴とする加熱ローラ。
【請求項１１】
被記録媒体を加熱する加熱ローラの製造方法において、請求項１乃至１０のいずれか一項に記載の前記加熱ローラの芯金となるアルミニュウム合金または鉄系材料からなる中空円筒形状の素管をスウエージング加工機にセットする素管セット工程と、前記素管の前記ジャーナル部を絞り、前記ジャーナル部の所定のジャーナル径になるまで絞り加工を繰り返すスウエージング加工工程と、前記スウエージング加工の絞りの終了後に前記胴部、前記ジャーナル部、前記外側端面を形成すために切削する切削加工工程と、前記切削加工で形成した前記外側端面を回動軸の内側方向に向かって所定の深さと半径方向の幅を削除して溝を形成する溝形成加工工程と、前記溝形成加工を終了した後の後処理をする後処理加工工程と、を備えることを特徴とする加熱ローラの製造方法。
【請求項１２】
請求項１１に記載の加熱ローラの製造方法において、前記溝形成加工工程では、前記溝を切削加工で形成することを特徴とする加熱ローラの製造方法。
【請求項１３】
請求項１１または１２に記載の加熱ローラの製造方法において、前記溝形成加工工程では、切削加工で前記胴部の外径の仕上げ切削加工と同時チャックで、ＮＣ旋盤で切削加工することを特徴とする加熱ローラの製造方法。
【請求項１４】
被記録媒体を加熱ローラで加熱する被記録媒体加熱装置において、回動可能に保持されて記録画像が形成される前記被記録媒体を加熱する上記請求項１乃至１０のいずれか一項に記載の前記加熱ローラを備えることを特徴とする被記録媒体加熱装置。
【請求項１５】
被記録媒体を加熱ローラで加熱して記録画像を形成する画像形成装置において、前記被記録媒体に記録画像を形成する画像形成ユニットと、上記請求項１乃至１０のいずれか一項に記載の前記加熱ローラを備えることを特徴とする画像形成装置。
【請求項１６】
請求項１５に記載の画像形成装置において、前記画像形成ユニットは、電子写真方法のプロセスで前記被記録媒体上にトナーの記録画像を形成することを特徴とする画像形成装置。
【発明の詳細な説明】
【技術分野】
【０００１】
本発明は、被記録媒体を加熱する加熱ローラ、およびその加熱ローラの製造方法、その加熱ローラで被記録媒体を加熱して乾燥して皴の消去や形成画像の熱定着を行う被記録媒体加熱装置、並びに被記録媒体を加熱ローラで加熱して記録画像を形成する複写機、ファクシミリ装置、プリンタあるいはこれらの複合機等の電子写真式の画像形成装置に関する。
【背景技術】
【０００２】
電子写真方式の複写機、レーザービームプリンター、ファクシミリ装置などにおいては、未定着トナーを被記録媒体に熱定着させるための被記録媒体加熱装置としての熱定着装置が装備され、熱定着装置内には定着ローラとしての加熱ローラを始め、コピー用紙を加熱ローラに押し付けるための加圧ローラ等が組み込まれている（特許文献３を参照）。
該熱定着装置を構成する加熱ローラとしては鉄系材料やアルミニウム合金等の金属製の芯金が多く用いられており、形状は大きく分けて胴部とジャーナル部が同一外径のストレートタイプと、ジャーナル部が胴部よりも細いジャーナルタイプに分類できる。
通常、２０ｃｐｍ程度までの低速機種にはストレートタイプが、それ以上の中速、高速機種にはジャーナルタイプが用いられることが多く、ジャーナルタイプの芯金は素管を金型で絞り加工した一体構造のものが普通である。
【０００３】
定着ローラとしての加熱ローラは、金属製芯金の表面にＰＦＡやＰＴＦＥ等のフッ素樹脂を、あるいはプライマー層を下地としてその上にフッ素樹脂を離型層として形成している。熱定着装置内では、該離型層の表面温度を制御するための温度センサーが、離型層に接触もしくは非接触で配設されている。
加熱ローラ内部には、軸方向位置により偏光可能であるハロゲンヒーターを２本以上配設し、加熱ローラの表面温度を軸方向で極力均一になるようフィードバック制御を行っている。
中空円筒状の加熱ローラの一端が全周に亘って折り曲げられた折曲部を有するようにして、肉薄の加熱ローラを使用しても、加熱ローラが、その駆動手段との係合部において破損することがなく、加熱ローラのつぶれを防止して加熱ローラの安定した回転を行うことができる加熱装置及び定着装置も提案されている（特許文献１を参照）。
【０００４】
電子写真装置に使用する他の構成の熱定着ユニットとして、加熱ローラとしての定着ローラとヒートローラとの間にベルトが設けられ、定着ローラと加圧ローラとの間に所定の加重がかけられており、ベルトと加圧ローラとの間にニップが形成されて、ヒートローラの内部にはヒータが設けられ、外面に温度センサーが配置されることも知られている（特許文献２を参照）。
更に熱定着ロールと、該熱定着ロールに押圧する加圧ロールと、該加圧ロールの外周に捲着され熱定着ロールとの間に挟持されて移動する耐熱ベルトと、該耐熱ベルトを張架するベルト張架部材とを備え、シート材に形成した未定着トナー像を定着する定着装置または画像形成装置であって、熱定着ロールは、表面に弾性体を被覆したロール基材に加熱源を内蔵し、通紙領域外の軸方向両端のロール基材の内周に加熱源からの熱線を遮断するリフレクタを設け、リフレクタにより熱定着ロールの端部が加熱されず温度が上昇するのを防ぎ、端部の温度上昇による画質の低下、生産性の低下を防ぐことも提案されている（特許文献４を参照）。
【０００５】
しかしながら、上記のように、ジャーナル部を絞り加工する際に、素管の肉厚、あるいは素管の外径と絞った後のジャーナル径との比率、いわゆる塑性加工のリダクション率が、これらの数値によって絞り加工後の胴部、ジャーナル部の肉厚や形状が異なるのが一般的であり、特に素管が厚い場合などは、絞りの回数を増やし、その度ごとに軸方向に挫屈を繰り返し、胴部の端面はもともとの素管肉厚よりも厚くなる場合が多い。
さらに、胴部は芯金として外径精度を得るために切削加工を施す。相対的に胴部の肉厚は、塑性加工による変形を受けた胴部の端面の肉厚よりも遥かに薄くなる。１００ｃｐｍ程度以上の高速複写機の場合、定着ローラの設定肉厚は。例えば５ｍｍから１０ｍｍくらいになるものもあり、そのための素管を絞り加工してできた胴部の端面の肉厚と、切削後の外径部の肉厚とでは、その差が１０ｍｍ以上に達するものもある。
【０００６】
定着ローラは定着装置内で、その表面温度が一定になるようサーミスタ温度計などで制御しているが、前述したような胴部と胴部端面とで大きな肉厚差がある場合は、その温度設定や制御が難しくなり、場合によっては胴部の中央と、胴部の端面に近い胴部の両端で著しく温度差が生じることがある。
定着ローラの内部にハロゲンヒーターを２本以上配設していて、胴部中央と両端とで極力均一な温度になるように偏光制御が行われている。このような制御が行われているのだが、肉厚や肉厚差が余りにも大きい場合、胴部の中央と両端付近において熱容量に大きな差が発生し、適切な温度制御が行われなくなってしまう。
【０００７】
そうした場合、結果的に被記録媒体や被記録媒体に形成される画像の品質上において、加熱ローラ表面温度差に起因する被記録媒体や被記録媒体に形成される記録画像の定着性の品質の差が生じる。最悪状態になると記録画像の濃度むらや定着不良なども誘発し、複写機等の電子写真装置として重大な不具合を引き起こしていた。
従って、加熱ローラの素管の肉厚等が大きい場合には、加熱ローラの胴部の中央と両端付近において熱容量に大きな差が発生し、適切な温度制御が行われなくなって被記録媒体や被記録媒体に形成される記録画像の品質も低下すると言う不具合が生じている。
【特許文献１】特開２０００−１３７４００公報
【特許文献２】特開２００２−４０７１２公報
【特許文献３】特開２００３−２９４４４公報
【特許文献４】特開２００５−１５６６７２公報
【発明の開示】
【発明が解決しようとする課題】
【０００８】
本発明は、このような問題点を解決するものである。即ち、肉厚等が大きい場合でも、両端近傍の熱容量を減少して、全体の熱容量を均一化して高品質の被記録媒体や被記録媒体に高品質の記録画像を形成する加熱ローラ、及びその加熱ローラの製造方法、その加熱ローラを備える被記録媒体加熱装置、並びに画像形成装置を提供することを目的とする。
【課題を解決するための手段】
【０００９】
上記目的を達成するために、請求項１に記載の本発明は、被記録媒体を加熱する加熱ローラにおいて、被記録媒体に直接または間接的に当接して加熱する中空円筒形状の芯金の胴部と、前記胴部の外径より細いジャーナル部と、前記ジャーナル部を形成する絞り加工で前記胴部の端部に形成される厚肉部と、前記厚肉部の外側に形成される外側端面と、前記外側端面を回動軸の内側方向に向かって所定の深さと半径方向の幅を削除して形成する溝を備える加熱ローラであることを特徴とする。
又は、請求項２に記載の本発明は、請求項１に記載の加熱ローラにおいて、前記胴部は、アルミニュウム合金または鉄系材料で６ｍｍ以上の肉厚を備えている加熱ローラであることを特徴とする。
又は、請求項３に記載の本発明は、請求項１または２に記載の加熱ローラにおいて、前記胴部は、外周面上に離型層を備える加熱ローラであることを特徴とする。
又は、請求項４に記載の本発明は、請求項３に記載の加熱ローラにおいて、前記離型層は、フッ素樹脂を備える加熱ローラであることを特徴とする。
【００１０】
又は、請求項５に記載の本発明は、請求項１乃至４のいずれか一項に記載の加熱ローラにおいて、前記胴部は、表面温度を回動軸の方向で所定温度に均一化する１個または複数個のヒータを内部に配置して備える加熱ローラであることを特徴とする。
又は、請求項６に記載の本発明は、請求項１乃至５のいずれか一項に記載の加熱ローラにおいて、前記胴部は、外周面に接触または非接触して、表面温度を制御するための温度センサーを備える加熱ローラであることを特徴とする。
又は、請求項７に記載の本発明は、請求項１乃至６のいずれか一項に記載の加熱ローラにおいて、前記ジャーナル部およびジャーナル根元部は、肉厚を前記胴部の肉厚と同等に備える加熱ローラであることを特徴とする。
【００１１】
又は、請求項８に記載の本発明は、請求項１乃至７のいずれか一項に記載の加熱ローラにおいて、前記ジャーナル部は、回転駆動部材との空転止めを行う空転止形状部を備える加熱ローラであることを特徴とする。
又は、請求項９に記載の本発明は、請求項１乃至８のいずれか一項に記載の加熱ローラにおいて、前記厚肉部は、前記胴部と同等の肉厚を備える加熱ローラであることを特徴とする。
又は、請求項１０に記載の本発明は、請求項１乃至９のいずれか一項に記載の加熱ローラにおいて、前記溝は、前記厚肉部の内側端面６に倣って形成する加熱ローラであることを特徴とする。
【００１２】
又は、請求項１１に記載の本発明は、被記録媒体を加熱する加熱ローラの製造方法において、まず請求項１乃至１０のいずれか一項に記載の前記加熱ローラの芯金となるアルミニュウム合金または鉄系材料からなる中空円筒形状の素管をスウエージング加工機にセットする素管セットと、前記素管の前記ジャーナル部を絞り、前記ジャーナル部の所定のジャーナル径になるまで絞り加工を繰り返すスウエージング加工と、前記スウエージング加工の絞りの終了後に前記胴部、前記ジャーナル部、前記外側端面を形成すために切削する切削加工と、前記切削加工で形成した前記外側端面を回動軸の内側方向に向かって所定の深さと半径方向の幅を削除して溝を形成する溝形成加工と、前記溝形成加工を終了した後の後処理をする後処理加工を備える加熱ローラの製造方法であることを特徴とする。
【００１３】
又は、請求項１２に記載の本発明は、請求項１１に記載の加熱ローラの製造方法において、前記溝形成加工は、前記溝を切削加工で形成する加熱ローラの製造方法であることを特徴とする。
又は、請求項１３に記載の本発明は、請求項１１または１２に記載の加熱ローラの製造方法において、前記溝形成加工は、切削加工で前記胴部の外径の仕上げ切削加工と同時チャックで、ＮＣ旋盤で切削加工する加熱ローラの製造方法であることを特徴とする。
【００１４】
又は、請求項１４に記載の本発明は、被記録媒体を加熱ローラで加熱する被記録媒体加熱装置において、回動可能に保持されて記録画像が形成される前記被記録媒体を加熱する上記請求項１乃至１０のいずれか一項に記載の前記加熱ローラを備える被記録媒体加熱装置であることを特徴とする。
又は、請求項１５に記載の本発明は、被記録媒体を加熱ローラで加熱して記録画像を形成する画像形成装置において、前記被記録媒体に記録画像を形成する画像形成ユニットと、上記請求項１乃至１０のいずれか一項に記載の前記加熱ローラを備える画像形成装置であることを特徴とする。
又は、請求項１６に記載の本発明は、請求項１５に記載の画像形成装置において、前記画像形成ユニットは、電子写真方法のプロセスで前記被記録媒体上にトナーの記録画像を形成する画像形成装置であることを特徴とする。
【発明の効果】
【００１５】
本発明によれば、肉厚等が大きい場合でも、両端近傍の熱容量を減少して、全体の熱容量を均一化して高品質の被記録媒体や被記録媒体に高品質の記録画像を形成する加熱ローラ、及びその加熱ローラの製造方法、その加熱ローラを備える被記録媒体加熱装置、並びに画像形成装置を提供することが出来る。
【発明を実施するための最良の形態】
【００１６】
以下に、本発明の実施形態を、図面を参照して詳細に説明する。
図１は、本発明の実施の形態例にかかる加熱ローラ１０と加熱ローラ１０を備える被記録媒体加熱装置２００の基本構成の正面図である。
図２は、本発明の実施の形態例にかかる加熱ローラ１０と加熱ローラ１０を備える被記録媒体加熱装置２００の基本構成の側面図である。
図１と図２において、ジャーナル部２が胴部１よりも細いジャーナルタイプの加熱ローラ１０とその加熱ローラ１０を備える被記録媒体加熱装置２００の基本構成を説明する。被記録媒体加熱装置２００である熱定着装置３１５は、被記録媒体（Ｐ）としての記録用紙上に形成された未定着のトナーの記録画像を加熱して定着する。回動可能に保持されて記録画像が形成された被記録媒体と被記録媒体上の未定着のトナーの記録画像を加熱して加熱定着する加熱ローラ１０である定着ローラ２０１や図示しない加熱ローラ１０で加熱される加熱定着ベルト、被記録媒体上に形成されたトナーの記録画像を加圧定着する加圧ローラ２０２と、案内部材２０３、分離部材２０４等を備えている。
【００１７】
画像形成装置３００の画像形成ユニット３０１内で図示の矢印（Ａ）方向から搬送されて案内部材２０３に案内されて来る被記録媒体（Ｐ）は、図示の矢印（Ｂ）方向に回動する加熱ローラ１０である定着ローラ２０１、又は、図示しない加熱定着ベルト、図示の矢印（Ｃ）方向に回動する加圧ローラ２０２によって形成されるニップ部（Ｎ）で加熱、加圧されて、被記録媒体（Ｐ）上に電子写真方法のプロセスで高速、高品質で形成される未定着のトナーの記録画像を熱定着させるようになっている。
この時、加熱ローラ１０である定着ローラ２０１は、内部に配置する１個または複数個のヒータ１２で加熱されて表面温度を回動軸７の方向で所定温度に均一化される。又、その時には、ヒータ１２は、定着ローラ２０１または加圧ローラ２０２とは別に存在する構成にすることも出来る。外周面に接触または非接触の温度センサー１３によって、加熱ローラ１０である定着ローラ２０１の温度検知が行われて、その表面温度の制御を行って、適正な所定の加熱温度が保持されるようになっている。
【００１８】
定着ローラ２０１と加圧ローラ２０２が接し、加圧スプリング２０５によって与えられた加圧力が加わるニップ部（Ｎ）を抜けた被記録媒体（Ｐ）は、分離部材２０４で定着ローラ２０１と加圧ローラ２０２への巻きつきを防止して図示の矢印（Ｄ）方向の搬送方向に案内されて搬送される。
定着ローラ２０１は、さらに回動して、表面に付着したトナー塊などをクリーニング手段２０６によって除去して、次の被記録媒体（Ｐ）上に形成される未定着のトナーの記録画像の熱定着に備える。
被記録媒体（Ｐ）を加熱する加熱ローラ１０は、被記録媒体に直接または間接的に当接して加熱する中空円筒形状の芯金の胴部１と、胴部１の外径より細いジャーナル部２と、ジャーナル部２を形成する絞り加工で胴部１の端部に形成される厚肉部３と、厚肉部３の外側に形成される外側端面４と、外側端面４を回動軸７の図示の矢印（Ｅ）方向の内側方向に向かって所定の深さと半径方向の幅を削除して形成する溝５を備えている。
【００１９】
加熱ローラ１０は、胴部１の芯金の外周面上にプライマーを塗布した後、その上にＰＦＡやＰＴＦＥといったにフッ素樹脂からなる離型層１１を備え、アルミニュウム合金または鉄系材料で６ｍｍ以上の肉厚もあり、離型性にも優れて、１００ｃｐｍの高速複写機にも搭載されるものである。
従って、加熱ローラ１０は、両端面に溝５を形成して胴部１の端面の肉厚を削除することによって、胴部１の両端近傍の熱容量を低減し、胴部１の全体の熱容量を均一化することができる。
さらに加熱ローラ１０は、溝５０を厚肉部３の内側端面６に倣って形成して、ジャーナル部２、ジャーナル根元部２０および厚肉部３の肉厚は胴部１の肉厚と同等であるから、胴部１とその端面の肉厚を均一化することができ、その結果ジャーナル根元部２０から胴部１にかけて均一な剛性が得られ、応力集中に対して信頼性も高くなっている。
【００２０】
ジャーナル部２には、空転止形状部２１の小判カット部が形成されて回転駆動部材２０７の駆動歯車との空転止めを行って確実に回転駆動されるようになっている。
従って、加熱ローラ１０を熱定着装置３１５に組み込んで搭載することで、素管肉厚の厚い高速タイプの加熱ローラ１０でも胴部１の回動軸７方向において、熱容量に起因する定着性にばらつきのない、良好な被記録媒体（Ｐ）や良好な画像品質を有する低コストの被記録媒体加熱装置２００である熱定着装置３１５を提供することが出来る。
【００２１】
図３は、本発明の実施の形態例にかかる加熱ローラ１０の加工手順を示すフローチャートである。
図４は、本発明の実施の形態例にかかる加熱ローラ１０の素管セット１０１での正面図である。
図５は、本発明の実施の形態例にかかる加熱ローラ１０の肉厚が比較的薄い場合のスウエージング加工１０２終了後の部分断面図である。
図６は、本発明の実施の形態例にかかる加熱ローラ１０の肉厚が比較的厚い場合のスウエージング加工１０２終了後の部分断面図である。
図７は、本発明の実施の形態例にかかる加熱ローラ１０の切削加工１０３終了後の溝形成加工１０４での部分断面図である。
図８は、本発明の実施の形態例にかかる加熱ローラ１０の切削加工１０３終了後の溝５を厚肉部３の内側端面６に倣って形成する溝形成加工１０４での部分断面図である。
図９は、本発明の実施の形態例にかかる加熱ローラ１０の後処理加工１０５での正面図である。
【００２２】
図３において、被記録媒体を加熱する加熱ローラ１０の製造方法は、スタートで、まず請求項１乃至１０のいずれか一項に記載の加熱ローラ１０の芯金となるアルミニュウム合金または鉄系材料からなる中空円筒形状の素管１００をスウエージング加工機にセットする素管セット１０１を行い（図４を参照）、素管１００のジャーナル部２を絞り、ジャーナル部２の所定のジャーナル径になるまで絞り加工を繰り返すスウエージング加工１０２をして（図５、図６を参照）、スウエージング加工１０２の絞りの終了後に胴部１、ジャーナル部２、外側端面４を形成ために所定の切削ライン１１０まで切削する切削加工１０３をして（図６を参照）、切削加工１０３で形成した外側端面４を回動軸７の内側方向に向かって所定の深さと半径方向の幅を削除して溝５を形成する溝形成加工１０４をして（図７、図８を参照）と、溝形成加工１０４を終了した後に胴部１の外周面上に離型層１１を形成する等の後処理加工１０５をして（図９を参照）、エンドで加熱ローラ１０が完成する。
従って、素管１００の肉厚等が大きい場合でも、胴部１の両端近傍の熱容量を減少して、胴部１の全体の熱容量を均一化して高品質の被記録媒体や被記録媒体上に高品質の記録画像を形成する加熱ローラ１０を製造することが出来る。
図４と図５において、加熱ローラ１０に通常多用されるアルミ製の芯金は、ジャーナル部２をスウェージング加工１０２等で絞るため、その断面形状は素管セット１０１でセットされる素管１００の肉厚などにより様々である。
【００２３】
加熱ローラ１０のスウェージング加工１０２で肉厚が比較的薄い場合の絞り加工後の部分断面図を図５に示す。
素管１００の肉厚が２ｍｍ〜５ｍｍ程度と比較的薄い場合や、素管１００の外径と絞り加工後のジャーナル部２の径の差が小さい場合、要するに塑性加工のリダクション率が小さい場合は、もともとの素管１００の肉厚と、胴部１の端面の肉厚およびジャーナル部２の肉厚がおおむね均一に加工できる。すなわち、図５に示したような形状を有する。
【００２４】
図６において、一方、肉厚が８ｍｍや１０ｍｍ以上といった厚い素管１００を絞った場合、当然素管１００の剛性が高いため変形が容易ではなく、所望のジャーナル部２の径を得るまでに、絞り回数を多くしなくてはならない。これは、リダクション率が大きい場合も同じことが言える。
絞り回数を多くしていくと、その加工条件にもよるが、回動軸７の方向における素管１００の坐屈を繰り返すため、その部分の回動軸７の方向の厚さ、すなわち胴部１の端面の厚肉部３が増量していく。しかも、胴部１の外径とジャーナル部２の外径は所望の寸法に仕上げるため、切削ライン１１０まで切削するために、ますます胴部１の端面の厚肉部３は周囲近傍の肉厚よりも相対的に厚くなっていく。
【００２５】
このように、胴部１の端面の厚肉部３の肉厚が周囲よりも大きいと、前述したように回動軸７の方向の位置により、熱容量差が生じ、熱的に不均一な加熱ローラ１０となる。そのため、加熱ローラ１０の表面温度を均一に保てない場合は、被記録媒体や被記録媒体上に熱定着して形成する画像品質を低下させる不具合を引き起こすことになる。
以下に、これらの問題を解決するための手段を述べる。
【００２６】
図６に記したような、素管１００の肉厚が８ｍｍ前後ある厚肉芯金の場合、切削ライン１１０まで切削した後の完成品の加熱ローラ１０は、胴部１の肉厚がおおむね６ｍｍ〜７ｍｍ前後、ジャーナル部２の肉厚が４ｍｍ〜５ｍｍ程度であるのに対して、胴部１の端面の厚肉部３においては、１５ｍｍ以上にもなってしまう場合がある。その分、胴部１の端面部は多くの熱容量を有することになるのであるから、相当分の熱容量を除去すべく、図７に図示する該当部分の肉を削ぎ落として溝５を形成すれば良い。
胴部１の端面の内側端面６は現実的に除去加工することは困難であるから、具体的には端面の外側を相当量除去加工してやればよい。
【００２７】
除去加工の方法としては、加熱ローラ１０の芯金を製作する際、絞り加工のスウェージング加工１０２後に胴部１とジャーナル部２と外側端面４を形成するために、どのみち切削ライン１１０まで切削する切削加工１０３を入れるので、切削加工１０３の終了後に溝形成加工１０４の切削で行うのが最も簡易であり、効率的でもある。
もちろん、普通旋盤でも可能ではあるが、溝５の幅や深さなどの断面形状を任意に設定、変更でき、胴部１の外径の仕上げ切削と同時チャックで切削加工できるため、ＮＣ旋盤による加工が最も理想的である。
【００２８】
図７において、次に、具体的な形状について説明する。
例えば、加熱ローラ１０の胴部１の外径が８０ｍｍで、ジャーナル部２の外径が３０ｍｍである場合、胴部１の外側端面４は２５ｍｍの平坦な幅を有する。その部分に、半径方向の幅が１２ｍｍ〜１５ｍｍ程度、深さが６ｍｍ程度の、加熱ローラ１０の回動軸７と同心円状の溝切削ライン１１１まで切削して溝５を形成する。
加熱ローラ１０がアルミニウム芯金の場合、この程度の形状の溝５でも芯金としては７０ｇ前後も軽量化される。しかも、肉厚が大きかった胴部１の端面近傍でこれだけの質量を削除してしまうわけで、胴部１の中央付近と両端部での熱容量差を解消することに貢献できる。
【００２９】
図８において、さらに、加熱ローラ１０の溝５の形状は、ＮＣ旋盤であれば自由に設定できるので、以下のような形状を有する溝５０の形成も可能になる。
胴部１の内側端面６は、絞り加工を行った後の形状を任意に制御できないことが多い。そのため、溝５０の形成は、その内側端面６の断面形状の曲線に合わせて、厚肉部３の肉厚を胴部１と同等で端面近傍が略均一な肉厚になる溝切削ライン１１１となるように、ＮＣ制御のプログラムを設定して行う。内側端面６の断面形状は、芯金を切断して観察、数値化すればよい。
【００３０】
普通、図１、２に図示する被記録媒体加熱装置２００である熱定着装置３１５内においては、加熱ローラ１０である定着ローラ２０１に対向した位置に、平行に加圧ローラ２０２が配設される。高速タイプの熱定着装置３１５では、該加圧ローラ２０２の加圧力は５００Ｎ以上もあり、場合によっては１０００Ｎ以上のものもある。
この場合、加熱ローラ１０である定着ローラ２０１は、ベアリング２０８を介して加圧力を受け、その加重はジャーナル部２のジャーナル根元部２０の部分に最も応力が集中する。このため、ジャーナル根元部２０は必要最低限の肉厚を要求される。
おおむねジャーナル部２の肉厚は、胴部１よりも薄い。したがって、例えば、ジャーナル根元部２０の最小肉厚部分をジャーナル部２の肉厚と同一とし、ジャーナル根元部２０から胴部１の両端部にかけて、上述したような手段で端面肉厚を胴部１の肉厚と略同一にすれば、脆弱な部分がなく、かつ一定以上の強度を有する耐久性にも優れ低コストの加熱ローラ１０である定着ローラ２０１を製作することができる。
【００３１】
図９において、加熱ローラ１０は、溝形成加工１０４を終了した後に胴部１の外周面上に離型層１１を形成する等の後処理加工１０５を行い完成する。
以上のように、ＮＣ旋削により、厚肉の素管１００から製作する加熱ローラ１０である定着ローラ２０１の胴部１の端面に肉厚除去用の溝５、５０を形成することで、胴部１の端部近傍の熱容量を低減し、かつ胴部１の全体的に均一化を図ることができ、被記録媒体加熱装置２００である熱定着装置３１５等に搭載したときに、定着性等のむらのない画像品質の良い加熱ローラ１０である定着ローラ２０１を簡易に生産し、耐久性にも優れ低コストで供給することが可能となる。
【００３２】
図１０は、本発明の実施の形態例にかかる加熱ローラ１０を備える画像形成装置３００の基本構成図である。
図１０において、画像形成装置３００は、画像を形成する画像形成ユニット３０１と、画像形成ユニット３０１の上部に原稿画像読み取りユニット３０２が載置されている。画像形成ユニット３０１は被記録媒体給送ユニット３０３上に保持されている。
画像形成ユニット３０１は、電子写真方式の作像プロセスで利便性や汎用性に優れ高速で高品質のトナーの記録画像を被記録媒体上に形成するようになっている。
原稿画像読み取りユニット３０２の原稿台３２０に載置される原稿（Ｏ）は、光源３２１が図示の矢印（Ｆ）方向の右方向に移動し、このとき、原稿画像面が光源３２１により照明され、原稿画像が読み取り光学系３２２で読み取られる。
【００３３】
読み取り光学系３２２で読み取られる原稿画像は、画像形成ユニット３０１の書き込みユニット３１２によってドラム形状の感光体ドラム３１０上に書き込まれる。
感光体ドラム３１０は、図示の矢印（Ｇ）方向の時計方向に回転し、この時帯電器３１１によって表面を一様に帯電され、その帯電面に書き込みユニット３１２により原稿画像が書き込まれる。これによって感光体ドラム３１０上に静電潜像が形成され、この潜像は現像ユニット３１３によってトナーの記録画像として可視像化される。
【００３４】
一方、被記録媒体給送ユニット３０３から被記録媒体が感光体ドラム３１０に向けて給送され、転写器３１４によって感光体ドラム３１０上のトナーの記録画像が被記録媒体上に転写される。
この被記録媒体上に転写される未定着のトナーの記録画像は、熱定着装置３１５の加熱ローラ１０である定着ローラ２０１と加圧ローラ２０２よって与えられる加熱と加圧力が加わるニップ部（Ｎ）を抜け、熱容量に起因する定着性にばらつきのない、被記録媒体に皺なども無く、良好なトナーの記録画像が形成される。
ついで良好なトナーの記録画像が形成された被記録媒体は、装置の外に排出されて排出トレイ３１６に収納される。
【００３５】
感光体ドラム３１０上に残留するトナーは、クリーニングユニット３１７によって除去されて次工程に備えられる。
従って、肉厚等が大きい場合でも、両端近傍の熱容量を減少して、全体の熱容量を均一化して高品質の被記録媒体や被記録媒体上に高品質の記録画像を形成する加熱ローラ１０を備える画像形成装置３００を提供することが出来る。
【図面の簡単な説明】
【００３６】
【図１】本発明の実施の形態例にかかる加熱ローラと加熱ローラを備える被記録媒体加熱装置の基本構成の正面図である。
【図２】本発明の実施の形態例にかかる加熱ローラと加熱ローラを備える被記録媒体加熱装置の基本構成の側面図である。
【図３】本発明の実施の形態例にかかる加熱ローラの加工手順を示すフローチャートである。
【図４】本発明の実施の形態例にかかる加熱ローラの素管セットでの正面図である。
【図５】本発明の実施の形態例にかかる加熱ローラの素管の肉厚が比較的薄い場合のスウエージング加工後の拡大部分断面図である。
【図６】本発明の実施の形態例にかかる加熱ローラの素管の肉厚が比較的厚い場合のスウエージング加工終了後の拡大部分断面図である。
【図７】本発明の実施の形態例にかかる加熱ローラの切削加工終了後の溝形成加工での拡大部分断面図である。
【図８】本発明の実施の形態例にかかる加熱ローラの切削加工終了後の溝を厚肉部の内側端面に倣って形成する溝形成加工での拡大部分断面図である。
【図９】本発明の実施の形態例にかかる加熱ローラの後処理加工での正面図である。
【図１０】本発明の実施の形態例にかかる加熱ローラを備える画像形成装置の基本構成図である。
【符号の説明】
【００３７】
１  胴部
２  ジャーナル部
３  厚肉部
４  外側端面
５  溝
６  内側端面
７  回動軸
１０  加熱ローラ
１１  離型層
１２  ヒータ
１３  温度センサー
２０  ジャーナル根元部
２１  空転止形状部
５０  溝
１００  素管
１０１  素管セット
１０２  スウエージング加工
１０３  切削加工
１０４  溝形成加工
１０５  後処理加工
１１０  切削ライン
１１１  溝切削ライン
２００  被記録媒体加熱装置
２０１  定着ローラ
２０２  加圧ローラ
２０３  案内部材
２０４  分離部材
２０５  加圧スプリング
２０６  クリーニング手段
２０７  回転駆動部材
２０８  ベアリング
３００  画像形成装置
３０１  画像形成ユニット
３０２  原稿画像読み取りユニット
３０３  被記録媒体給送ユニット
３１０  感光体ドラム
３１１  帯電器
３１２  書き込みユニット
３１３  現像ユニット
３１４  転写器
３１５  熱定着装置
３１６  排出トレイ
３１７  クリーニングユニット
３２０  原稿台
３２１  光源
３２２  読み取り光学系
【図１】
2007286282.tif 000003
【図２】
2007286282.tif 000004
【図３】
2007286282.tif 000005
【図４】
2007286282.tif 000006
【図５】
2007286282.tif 000007
【図６】
2007286282.tif 000008
【図７】
2007286282.tif 000009
【図８】
2007286282.tif 000010
【図９】
2007286282.tif 000011
【図１０】
2007286282.tif 000012